(57)【要約】パネルシャーシに液晶パネルを保持するための十分な保持面を確保しつつ、光学シートが伸長するための空間を確保することができる液晶表示装置を提供することにある。  液晶表示装置１は、正面に画像を表示する液晶パネル２と、該液晶パネル２の背面に配置された複数枚の光学シートであり、一部の光学シートに、該一部の光学シートより熱膨張率が大きい光学シートが積層された光学シート積層体９と、前記液晶パネル２を保持するパネルシャーシ６と、該パネルシャーシ６に設けられ、前記光学シート積層体９の積層方向に沿って、前記熱膨張率が大きい光学シートの側から下り勾配で傾斜した傾斜面６４を有する突出部とを備えることを特徴とする。
2016194226.tif 000002
【特許請求の範囲】
【請求項１】
正面に画像を表示する液晶パネルと、
該液晶パネルの背面に配置された複数枚の光学シートであり、一部の光学シートに、該一部の光学シートより熱膨張率が大きい光学シートが積層された光学シート積層体と、
前記液晶パネルを保持するパネルシャーシと、
該パネルシャーシに設けられ、前記光学シート積層体の積層方向に沿って、前記熱膨張率が大きい光学シートの側から下り勾配で傾斜した傾斜面を有する突出部と
を備えることを特徴とする液晶表示装置。
【請求項２】
前記光学シート積層体は、前記熱膨張率が大きい光学シートが正面側に、前記一部の光学シートが背面側に配置され、
前記傾斜面は、正面側から背面側に下り勾配で傾斜していること
を特徴とする請求項１に記載の液晶表示装置。
【請求項３】
前記パネルシャーシは、前記液晶パネルの背面と略平行に突出した平板状部分を備え、
該平板状部分の平板面は、前記液晶パネルの背面と当接しており、
前記突出部は、前記平板状部分の先端に形成されていること
を特徴とする請求項１又は請求項２に記載の液晶表示装置。
【請求項４】
前記熱膨張率が大きい光学シートは、前記傾斜面に近接する外周の周縁部に、該外周に沿って切り込みが入っていること
を特徴とする請求項１〜請求項３のいずれか１項に記載の液晶表示装置。
【発明の詳細な説明】
【技術分野】
【０００１】
本発明は、液晶表示装置に関する。
【背景技術】
【０００２】
液晶表示装置は、液晶パネル、光学シート、バックライト光源、導光板等の構成部材を含み、これらの構成部材は種々の枠体で保持される。該枠体の一つとして、パネルシャーシがある。パネルシャーシは、正面から順次積層された液晶パネル、光学シート、導光板の外周に配置され、内側面には、内側に向けて突出した平板状部分を有する。該平板状部分は、液晶パネルの背面周縁部と導光板の正面周縁部との間に位置し、平板状部分の先端面は、光学シートの外周と近接している。平板状部分が形成する一の平板面は、液晶パネルの背面と当接することにより液晶パネルを保持する保持面としての役割を果たす。【０００３】
液晶表示装置において、薄型化及び狭額縁化が進展している。特許文献１では、２種類の部品を組み合わせたパネルシャーシを採用することにより、パネルシャーシに液晶パネルを保持できるだけの十分な保持面を確保しつつ、薄型化を実現した液晶表示装置が開示されている。
【先行技術文献】
【特許文献】
【０００４】
【特許文献１】特開２０１４−１２３１２２号公報
【発明の概要】
【発明が解決しようとする課題】
【０００５】
一方で、液晶表示装置を長時間駆動すると、バックライト光源が発する熱によって光学シートが膨張するという問題がある。光学シートが膨張すると、光学シートの周縁部が前記平板状部分の先端面に接触して撓む。これにより、光学シートに入射した光が予期せず屈折してしまう、光学シートとパネルシャーシとの間に隙間が生じて入射光の一部が光学シートに入射しなくなる等の事態が生じ、液晶表示装置の画質が低下する。【０００６】
光学シートが熱膨張によって撓まないようにするため、従来、光学シートの外周と前記平板状部分の先端面との間にある程度の空間を設けることが行われている。しかし、該空間を確保するためには平板状部分の突出幅を短くせざるを得ず、そうすると、液晶パネルを保持するための十分な保持面を確保できなくなる場合がある。【０００７】
本発明は、斯かる事情に鑑みてなされたものであって、その目的とするところは、パネルシャーシに液晶パネルを保持するための十分な保持面を確保しつつ、光学シートが伸長するための空間を確保することができる液晶表示装置を提供することにある。
【課題を解決するための手段】
【０００８】
本発明に係る液晶表示装置は、正面に画像を表示する液晶パネルと、該液晶パネルの背面に配置された複数枚の光学シートであり、一部の光学シートに、該一部の光学シートより熱膨張率が大きい光学シートが積層された光学シート積層体と、前記液晶パネルを保持するパネルシャーシと、該パネルシャーシに設けられ、前記光学シート積層体の積層方向に沿って、前記熱膨張率が大きい光学シートの側から下り勾配で傾斜した傾斜面を有する突出部とを備えることを特徴とする。【０００９】
本発明に係る液晶表示装置は、前記光学シート積層体は、前記熱膨張率が大きい光学シートが正面側に、前記一部の光学シートが背面側に配置され、前記傾斜面は、正面側から背面側に下り勾配で傾斜していることを特徴とする。【００１０】
本発明に係る液晶表示装置は、前記パネルシャーシが、前記液晶パネルの背面と略平行に突出した平板状部分を備え、該平板状部分の平板面は、前記液晶パネルの背面と当接しており、前記突出部は、前記平板状部分の先端に形成されていることを特徴とする。【００１１】
本発明に係る液晶表示装置は、前記熱膨張率が大きい光学シートが、前記傾斜面に近接する外周の周縁部に、該外周に沿って切り込みが入っていることを特徴とする。
【発明の効果】
【００１２】
本発明によれば、光学シートが熱膨張により伸長した場合、伸長した光学シートの周縁部はパネルシャーシの傾斜面に沿って曲がる。よって、伸長した光学シートの周縁部は、不規則に撓むことなく前記空間に収容される。従って、パネルシャーシに液晶パネルを保持するための十分な保持面を確保しつつ、光学シートが伸長するための空間を確保することができる。
【図面の簡単な説明】
【００１３】
【図１】液晶表示装置の全体斜視図である。
【図２】液晶表示装置の分解斜視図である。
【図３】液晶表示装置の短辺部分の断面図である。
【図４】液晶表示装置の一長辺部分の断面図である。
【図５】パネルシャーシの模式的な部分斜視図である。
【図６】光学シート積層体が熱膨張した場合の液晶表示装置の部分断面図である。
【図７】実施の形態２に係る正面側光学シートの正面図である。
【図８】実施の形態３に係るパネルシャーシの短辺部分の断面図である。
【図９】実施の形態４に係るパネルシャーシの短辺部分の断面図である。
【図１０】実施の形態５に係るパネルシャーシの短辺部分の断面図である。
【発明を実施するための形態】
【００１４】
以下、本発明をその実施の形態を示す図面に基づいて詳述する。
（実施の形態１）
図１は、液晶表示装置１の全体斜視図である。ここで、液晶パネル２が画像を表示する面を正面とし、その反対の面を背面とする。液晶表示装置１は、液晶パネル２、ベゼル３及びバックライトシャーシ４を含む。液晶パネル２は、横長の略矩形の平板であり、正面側に表示面２１を有し、表示面２１に画像を表示する。バックライトシャーシ４は、正面側が開口した略矩形状の箱体であり、液晶パネル２の背部を覆っている。ベゼル３は、横長の矩形状をなす枠体であり、延在方向に直行する断面視において略Ｌ字状で、液晶パネル２の正面周縁部と、バックライトシャーシ４の外側面とを覆っている。ベゼル３及びバックライトシャーシ４は、例えば一方に係止爪が、他方に係止溝が設けられていることにより、互いに係止されている。
【００１５】
図２は、液晶表示装置１の分解斜視図である。図３は、液晶表示装置１の短辺部分の断面図である。図４は、液晶表示装置１の一長辺部分の断面図である。図３においては上方向が、図４においては左方向が液晶表示装置１の正面方向である。液晶表示装置１は、液晶パネル２、ベゼル３、バックライトシャーシ４に加え、ＬＥＤ基板５、パネルシャーシ６、導光板７、反射シート８、光学シート積層体９を含む。
【００１６】
バックライトシャーシ４は、前記のように略矩形状の箱体であり、例えば鋼製又はアルミニウム製のプレス成型品である。図３、４に示すように、バックライトシャーシ４には、液晶パネル２、光学シート積層体９、導光板７及び反射シート８が、正面側からこの順に積層して収容されている。また、図４に示すように、バックライトシャーシ４の長辺部分の内側面にはＬＥＤ基板５が配置され、ＬＥＤ基板５は導光板７の長辺部分の側面と対向している。
【００１７】
導光板７は、矩形状の正面及び背面を有する平板であり、例えばアクリルからなる。導光板７正面の各辺は、液晶パネル２背面の各辺及び光学シート積層体９の各辺と略同一の長さである。導光板７は、後述するＬＥＤ５１から側面に入射した光を内部で拡散し、拡散した光を正面から光学シート積層体９に向けて出射する。
【００１８】
反射シート８は、バックライトシャーシ４の内部正面に対応して、略矩形をなす。反射シート８は、例えば高反射率を有する合成樹脂からなる。反射シート８は、導光板７から背面側に出射された光を有効活用するために、該光を正面側に反射する。
【００１９】
ＬＥＤ基板５は、細長い板状部材である。図４に示すように、ＬＥＤ基板５には複数のＬＥＤ５１が実装されており、ＬＥＤ５１が発した光は、導光板７の側面に入射するようになっている。
なお、本実施の形態における液晶表示装置１は、光源が導光板７の側面に配置された、いわゆるエッジライト方式であるものとして説明するが、本実施の形態に係る液晶表示装置１はこれに限るものではなく、導光板７に代えて拡散板が配置され、光源が該拡散板の背部に配置された、いわゆる直下型方式である場合にも適用することができる。
【００２０】
光学シート積層体９は、複数枚の光学シートが積層された積層体である。光学シート積層体９を構成する各光学シートは略矩形のシートであり、その各辺は、導光板７正面の各辺と略同一の長さであるが、より正確には導光板７正面の各辺よりも僅かに短い。同様に、光学シート積層体９を構成する各光学シートの各辺は、液晶パネル２背面の各辺よりも僅かに短い。光学シート積層体９は、例えば１枚の反射偏光シート、１枚の拡散シート及び２枚のプリズムシートを含む。なお、光学シート積層体９の構成はこれに限るものではなく、例えば視角の範囲を拡大する視野角拡大シート等を含んでもよい。
【００２１】
光学シート積層体９は、一部の光学シートと、該一部の光学シートより熱膨張率が大きい光学シートが積層されて構成される。該熱膨張率が大きい光学シートは正面側に、前記一部の光学シートは背面側に配置されている。以下では説明の便宜のため、熱膨張率が大きい光学シートを正面側光学シート９a、一部の光学シートを背面側光学シート９bとする。また、本実施の形態では、正面側光学シート９aは１枚、背面側光学シート９bは複数枚であるものとする。正面側光学シート９aは背面側光学シート９bよりも熱膨張率が大きいため、光学シート積層体９が熱膨張により伸長した場合に、正面側光学シート９aは、背面側光学シート９bよりも伸長する。
【００２２】
パネルシャーシ６は、略矩形状の枠体であり、例えば合成樹脂からなる。図３、４に示すように、パネルシャーシ６は、積層された液晶パネル２、光学シート積層体９、導光板７及び反射シート８の外周を覆うようにして配置される。また、図３に示すように、液晶表示装置１の短辺部分において、パネルシャーシ６の外側面と、バックライトシャーシ４の内側面とが当接している。また、図４に示すように、液晶表示装置１の長辺部分において、パネルシャーシ６の内側面と、バックライトシャーシ４の外側面とが当接している。
なお、本実施の形態に係るパネルシャーシ６は、一体成型により形成された枠体に限られず、例えば、４本の細長い棒材を組み合わせ、略矩形状の枠体とする構成であってもよい。
【００２３】
図５は、パネルシャーシ６の模式的な部分斜視図である。図５は、パネルシャーシ６の短辺部分を示している。図５における上方向が正面方向である。ハッチングしてある部分は、該短辺部分の断面である。パネルシャーシ６は、内側面に、内側へ突出した平板状部分６１を有する。平板状部分６１は、パネルシャーシ６の全周に亘って設けられており、互いに平行な正面側平板面６２及び背面側平板面６３を有する。さらに、内側へ突出した平板状部分６１の先端面は、正面側から背面側に下り勾配で傾斜した傾斜面６４を形成している。本実施の形態において、傾斜面６４は、一定角度で傾斜した平面状の傾斜面となっている。
【００２４】
図３に戻って、平板状部分６１は、液晶表示装置１にパネルシャーシ６が組み込まれた状態において、液晶パネル２の背面周縁部と導光板７の正面周縁部との間に位置する。平板状部分６１の厚さは、光学シート積層体９の厚さと略同一である。平板状部分６１の突出幅は、液晶パネル２背面の長辺と、光学シート積層体９の長辺との長さの差分の半分よりも、僅かに短い。
正面側平板面６２は液晶パネル２の背面と略平行であり、液晶パネル２の背面周縁部と当接している。また、背面側平板面６３は導光板７の正面と略平行であり、導光板７の正面周縁部と当接している。
【００２５】
傾斜面６４は、光学シート積層体９の積層方向に沿って、正面側光学シート９aの側から下り勾配で傾斜している。また、平板状部分６１の突出幅は、液晶パネル２背面の長辺と、光学シート積層体９の長辺との長さの差分の半分よりも、僅かに短いことから、傾斜面６４と光学シート積層体９との間には僅かな空間が設けられ、傾斜面６４は光学シート積層体９と接触していない。
なお、本実施の形態において、熱膨張率が大きい光学シートを背面側に、熱膨張率が小さい光学シートを正面側に配置し、傾斜面６４は正面側から背面側に上り勾配で傾斜する構成としてもよい。
【００２６】
図３、４に示すように、液晶パネル２の表示面２１の周縁部にはベゼル３が配置されており、ベゼル３の背面は、液晶パネル２の正面周縁部及びパネルシャーシ６の一部の面と当接している。ここで、液晶パネル２、ベゼル３及びパネルシャーシ６に着目すると、これらの構成部材が互いに当接していることから、液晶パネル２の周縁部は、ベゼル３及びパネルシャーシ６によって挟着されている。さらに、ベゼル３及びバックライトシャーシ４は互いに係止されており、かつ、バックライトシャーシ４及びパネルシャーシ６は互いに当接している。従って、液晶パネル２は、ベゼル３及びパネルシャーシ６によって挟持されている。
【００２７】
次に、光学シート積層体９の熱膨張について簡単に説明する。すでに説明したように、液晶表示装置１において、ＬＥＤ５１は導光板７側面に向けて光を照射する。ＬＥＤ５１が発光するに伴い、ＬＥＤ５１は熱を発する。該熱は、導光板７等を介して光学シート積層体９に伝導され、光学シート積層体９を温める。一般に合成樹脂のような高分子材料で構成される光学シート積層体９は、この温度上昇によって膨張し、外周方向へと伸長する。特に、光学シート積層体９は横長のシートであるため、短辺方向に比べ長辺方向への伸長幅が大きい。
【００２８】
図６は、光学シート積層体９が熱膨張した場合の液晶表示装置１の部分断面図である。図６は、図３と同様に液晶表示装置１の短辺部分の断面図を示している。図３と図６とを比較すると、熱膨張により光学シート積層体９が伸長している。より詳しくは、正面側光学シート９aの熱膨張率が、背面側光学シート９bの熱膨張率よりも大きいため、正面側光学シート９aは、背面側光学シート９bよりも外側に伸長している。伸長した正面側光学シート９aの周縁部は、傾斜面６４と接触することで、傾斜面６４に沿って曲がっている。従って、正面側光学シート９aの周縁部は、背面側光学シート９bの外周と傾斜面６４との間の空間へと伸長している。これにより、光学シート積層体９の周縁部は不規則な撓みを生じさせないで前記空間に収容されている。
【００２９】
以上より、本実施の形態１によれば、パネルシャーシ６と光学シート積層体９とが近接している構成において、光学シート積層体９が熱膨張により伸長した場合に、熱膨張率が大きい正面側光学シート９aの周縁部は傾斜面６４と接触し、傾斜面６４に沿って曲がる。伸長した正面側光学シート９aの周縁部は、背面側光学シート９bと傾斜面６４との間の空間に収容される。
パネルシャーシ６に傾斜面６４を設けない場合、上記のように光学シート積層体９の周縁部が一定方向に曲がることはなく、パネルシャーシ６と接触して不規則に撓む。これにより、光学シート積層体９に入射した光が予期せず屈折する、光学シート積層体９とパネルシャーシ６との間に隙間が生じて入射光の一部が光学シート積層体９に入射しなくなる等の事態が生じる。その結果、液晶表示装置１の画質が低下する。
これに対し、本実施の形態では、パネルシャーシ６と光学シート積層体９との間に僅かな空間しか確保されていなくとも、不規則な撓みを生じさせない。従って、パネルシャーシ６に液晶パネル２を保持するための十分な正面側平板面６２を確保しつつ、光学シート積層体９が伸長するための空間を確保することができる。
【００３０】
また、本実施の形態１によれば、傾斜面６４は正面側から背面側に下り勾配で傾斜していることから、平板状部分６１は、正面側が背面側よりも突出している。従って、傾斜面６４が正面側から背面側に上り勾配で傾斜している場合と比べ、パネルシャーシ６に液晶パネル２を保持するためのより広い正面側平板面６２を確保することができる。
【００３１】
また、本実施の形態１によれば、傾斜面６４を平面状とすることにより、パネルシャーシ６の成形を容易にすることができる。
【００３２】
また、本実施の形態１によれば、従来のパネルシャーシ６の一部に傾斜面６４を設ける構成であるため、部品数を増やす必要がない。
【００３３】
なお、本実施の形態１において、パネルシャーシ６の短辺部分に傾斜面６４が設けられた構成としたが、本実施の形態はこれに限るものではない。光学シート積層体９の短辺方向の伸長も考慮し、パネルシャーシ６の長辺部分にも傾斜面６４を設ける構成としてもよい。
【００３４】
また、本実施の形態１において、正面側光学シート９aは光学シート積層体９を構成する光学シートの１枚であるものとして説明したが、本実施の形態はこれに限るものではなく、正面側光学シート９aは２枚以上である構成としてもよい。この場合であっても、熱膨張により伸長した正面側光学シート９aの周縁部が、傾斜面６４に沿って曲がるようにすることができる。
【００３５】
また、本実施の形態１において、ベゼル３及びパネルシャーシ６によって液晶パネル２を挟持した構成であったが、パネルシャーシ６によって液晶パネル２を保持できるのであれば、ベゼル３は必須の構成要素ではない。例えば、本実施の形態１に係る液晶表示装置１を組み込んだテレビジョン受信機を構成する場合に、該テレビジョン受信機の正面周縁部を覆うフロントキャビネットと、パネルシャーシ６とによって液晶パネル２を保持することとしてもよい。
【００３６】
（実施の形態２）
実施の形態１では、背面側光学シート９bよりも熱膨張率が大きい正面側光学シート９aの周縁部が、傾斜面６４に沿って曲がる形態について述べた。実施の形態２ではさらに、正面側光学シート９aの周縁部がより曲がりやすくなるようにするべく、正面側光学シート９aの周縁部に切り込み２０９cが形成されている形態について述べる。
【００３７】
図７は、実施の形態２に係る正面側光学シート９aの正面図である。図７に示すように、正面側光学シート９aの両短辺周縁部には、両長辺から短辺方向に、直線状の切り込み２０９cが形成されている。つまり、正面側光学シート９aの周縁部には、４箇所に切り込み２０９cが形成されている。正面側光学シート９aの周縁部に切り込み２０９cが形成されていることにより、正面側光学シート９aの周縁部は、正面方向又は背面方向に曲がりやすくなっている。
【００３８】
以上より、本実施の形態２によれば、正面側光学シート９aの周縁部に切り込み２０９cを形成することにより、正面側光学シート９aの周縁部が熱膨張により伸長して傾斜面６４と接触した場合に、より一層曲がりやすくなる。これにより、実施の形態１における効果をより確実に奏することになる。
【００３９】
（変形例）
本実施の形態２において、正面側光学シート９aの周縁部の４箇所に切り込み２０９cを設けることとしたが、本実施の形態はこれに限るものではない。例えば、正面側光学シート９aの両短辺周縁部に、短辺方向に破線状の切り込み２０９cを設けることとしてもよい。また、正面側光学シート９aの短辺方向への熱膨張も考慮して、長辺周縁部に切り込み２０９cを設けることとしてもよい。さらに、正面側光学シート９aの４隅について、面上斜め方向への伸長を考慮し、斜めに切り込み２０９cを設けることとしてもよい。上記のように、正面側光学シート９aに切り込み２０９cを設ける箇所、数、長さ、方向等については、様々な構成が考えられる。
これらの形態でも、本実施の形態２と同様の効果を奏する。
【００４０】
（実施の形態３）
実施の形態１では、傾斜面６４は平面状であるものとした。しかし、熱膨張により伸長した正面側光学シート９aの周縁部を傾斜面６４に沿って曲げることができるのであれば、傾斜面６４の形状は、平面状に限られない。実施の形態３では、傾斜面３６４が曲面状となっている形態について述べる。
【００４１】
図８は、実施の形態３に係るパネルシャーシ６の短辺部分の断面図である。図８において、上方向が液晶表示装置１の正面方向である。実施の形態１と同様に、パネルシャーシ６は略矩形状の枠体であり、内側面に、内側へ突出した平板状部分６１を有する。平板状部分６１は、正面側を向いた正面側平板面６２と、背面側を向いた背面側平板面６３とを有する。
【００４２】
一方で、平板状部分６１は、実施の形態１とは異なり、曲面状となっている傾斜面３６４を有する。傾斜面３６４は、実施の形態１に係る傾斜面６４と同様に、正面側から背面側に下り勾配で傾斜しているが、実施の形態１に係る傾斜面６４と比べて、液晶表示装置１の内部方向へ膨らんだ形状となっている。傾斜面３６４が曲面状であっても、正面側から背面側に下り勾配で傾斜していることから、光学シート積層体９が熱膨張により伸長した場合に、正面側光学シート９aの周縁部は、傾斜面３６４に沿って曲がることが可能である。
【００４３】
以上より、本実施の形態３によれば、傾斜面３６４が曲面状である場合であっても、実施の形態１と同様の効果を奏する。
【００４４】
なお、本実施の形態３では、傾斜面３６４が液晶表示装置１内部に向けて膨らんだ曲面状であるものとしたが、本実施の形態はこれに限るものではない。例えば、傾斜面３６４が、液晶表示装置１の外部方向へ凹んだ曲面を形成していてもよい。この場合であっても、熱膨張により伸長した正面側光学シート９aの周縁部は、傾斜面３６４に沿って曲がることが可能であり、本実施の形態と同様の効果を奏する。
【００４５】
（実施の形態４）
実施の形態１では、熱膨張により伸長した正面側光学シート９aの周縁部が、傾斜面６４に沿って曲がる形態について述べた。実施の形態４ではさらに、傾斜面４６４が、櫛形状の櫛部４６５を有する形態について述べる。
【００４６】
図９は、実施の形態４に係るパネルシャーシ６の短辺部分の断面図である。図９において、上方向が液晶表示装置１の正面方向である。実施の形態１と同様に、パネルシャーシ６は略矩形状の枠体であり、内側面に、内側へ突出した平板状部分６１を有する。平板状部分６１は、正面側を向いた正面側平板面６２と、背面側を向いた背面側平板面６３とを有する。また、平板状部分６１の先端面は、正面側から背面側に下り勾配で、一定角度で傾斜している傾斜面４６４を形成している。
【００４７】
一方で、実施の形態１に係る傾斜面６４が平面状であるのに対し、本実施の形態に係る傾斜面４６４は、所定間隔毎に凸部がある櫛形状の櫛部４６５を有する。傾斜面４６４の傾斜方向において、櫛部４６５の各凸部の先端表面の長さの合計は、傾斜面４６４の全長の半分程度である。櫛部４６５は、可撓性を有する。よって、熱膨張により伸長した正面側光学シート９aの周縁部が櫛部４６５に接触した場合、正面側光学シート９aから櫛部４６５に力が加わり、櫛部４６５は傾斜方向に沿って撓む。つまり、正面側光学シート９aの周縁部と傾斜面４６４との接触を、櫛部４６５が緩衝する。
なお、櫛部４６５の各凸部の先端表面の長さの合計は、傾斜面４６４の全長の半分程度となっていることとしたが、本実施の形態はこれに限るものではない。櫛部４６５が正面側光学シート９aの周縁部と傾斜面４６４との接触を緩衝することができれば、その長さは特に限定されない。
【００４８】
以上より、本実施の形態４によれば、正面側光学シート９aの周縁部と傾斜面４６４との接触を、櫛部４６５が緩衝する。従って、正面側光学シート９aの周縁部が傾斜面４６４と接触することで傷付かないように、正面側光学シート９aの周縁部を保護することができる。
【００４９】
なお、傾斜面４６４が一定角度で傾斜している場合のみならず、実施の形態３に係る傾斜面３６４のように、一定角度で傾斜していない傾斜面４６４を形成している場合であっても、櫛部４６５を設けることはできる。この場合であっても、本実施の形態と同様の効果を奏する。
【００５０】
（実施の形態５）
実施の形態１では、傾斜面６４が平面状である形態について述べた。実施の形態５では、傾斜面５６４が、断面視において略Ｌ字形状となっている形態について述べる。
【００５１】
図１０は、実施の形態５に係るパネルシャーシ６の短辺部分の断面図である。図１０において、上方向が液晶表示装置１の正面方向である。実施の形態１と同様に、パネルシャーシ６は略矩形状の枠体であり、内側面に、内側へ突出した平板状部分６１を有する。平板状部分６１は、正面側を向いた正面側平板面６２と、背面側を向いた背面側平板面６３とを有する。
【００５２】
一方で、平板状部分６１の先端面は、実施の形態１に係る傾斜面６４とは異なり、パネルシャーシ６の延在方向に直行する断面視において略Ｌ字形状の傾斜面５６４を形成している。傾斜面５６４は、平板状部分６１の突出方向を向いた平面を形成する平板状部分６１の側面（以下、平板側面という）５６６と、該平板側面５６６の正面側の端部から液晶表示装置１の内部方向へ突起した尖端部５６７の背面（以下、尖端部背面という）５６８とからなる。尖端部５６７の厚さは、平板状部分６１の厚さと比べると、十分に薄い。尖端部５６７の正面は、正面側平板面６２と同一平面上にある。また、尖端部背面５６８は、正面側平板面６２と平行にはなっておらず、液晶表示装置１の正面側から背面側にかけて僅かに傾いている。上記の構成から、正面側光学シート９aが熱膨張により伸長すると、正面側光学シート９aの周縁部はまず尖端部背面５６８に接触し、尖端部背面５６８に沿って曲がる。正面側光学シート９aがさらに伸長すると、正面側光学シート９aの周縁部は平板側面５６６に接触し、平板側面５６６に沿って曲がる。
【００５３】
以上より、本実施の形態５によれば、熱膨張により伸長した正面側光学シート９aの周縁部は、平板側面５６６及び尖端部背面５６８を含む傾斜面５６４に沿って曲がる。従って、実施の形態１と同様の効果を奏する。
【００５４】
実施の形態３、５で詳述したように、傾斜面６４の形状は、特に限定されるものではない。つまり、傾斜面６４は、正面側から背面側にかけて傾斜していることで、熱膨張により伸長した正面側光学シート９aの周縁部を所定方向に曲げることができる形状であればよい。
【００５５】
今回開示された実施の形態はすべての点で例示であって、制限的なものではないと考えられるべきである。本発明の範囲は、上記した意味ではなく、請求の範囲によって示され、請求の範囲と均等の意味及び範囲内でのすべての変更が含まれることが意図される。
【符号の説明】
【００５６】
１  液晶表示装置
２  液晶パネル
２１  表示面
３  ベゼル
４  バックライトシャーシ
５  ＬＥＤ基板
５１  ＬＥＤ
６  パネルシャーシ
６１  平板状部分
６２  正面側平板面
６３  背面側平板面
６４、３６４、４６４、５６４  傾斜面
４６５  櫛部
５６６  平板側面
５６７  尖端部
５６８  尖端部背面
７  導光板
８  反射シート
９  光学シート積層体
９a  正面側光学シート
９b  背面側光学シート
２０９c  切り込み
【図１】
2016194226.tif 000003
【図２】
2016194226.tif 000004
【図３】
2016194226.tif 000005
【図４】
2016194226.tif 000006
【図５】
2016194226.tif 000007
【図６】
2016194226.tif 000008
【図７】
2016194226.tif 000009
【図８】
2016194226.tif 000010
【図９】
2016194226.tif 000011
【図１０】
2016194226.tif 000012
【国際調査報告】
2016194226.tif 000013
2016194226.tif 000014
2016194226.tif 000015
2016194226.tif 000016